(57)【特許請求の範囲】
【請求項１】
回線と通信端末装置等との信号の送受信を電気的に絶縁して行う絶縁トランスと、
該絶縁トランスの回線側に直流ループを閉結すると共にダイヤルパルスを送出するダイヤルパルス送出部と、
上記絶縁トランスの回線側に並列に接続され上記ダイヤルパルス送出時の上記トランスの誘導起電力を防止するダイヤルショートリレーに用いられているフォトカプラと、
該フォトカプラをオン・オフ制御するドライバとを有する通信端末装置等の網制御装置において、
それぞれ異なる抵抗値の複数の上記フォトカプラ用の電流制御抵抗と、
該電流制御抵抗のいずれかを選択して上記フォトカプラに接続する調整手段とを有することを特徴とする通信端末装置等の網制御装置。
【請求項２】
請求項１に記載の通信端末装置等の網制御装置であって、
上記調整手段は、所定の設定操作に従い入力された選択信号に基づき、上記フォトカプラに接続する上記電流制御抵抗を選択することを特徴とする通信端末装置等の網制御装置。
【請求項３】
請求項１、もしくは、請求項２のいずれかに記載の通信端末装置等の網制御装置であって、
上記複数の電流制御抵抗のそれぞれを特定する情報を、国毎に設定されているカントリーコード対応に記憶する手段を有し、
上記調整手段は、所定の操作により指定された上記カントリーコードに対応する電流制御抵抗を選択して上記フォトカプラに接続することを特徴とする通信端末装置等の網制御装置。
【請求項４】
請求項１から請求項３のいずれかに記載の通信端末装置等の網制御装置であって、
上記ダイヤルパルス送出部にフォトカプラを用い、
上記調整手段は、
上記ダイヤルパルス送出部に用いたフォトカプラに対しても複数の電流制御抵抗の選択と接続制御を行うことを特徴とする通信端末装置等の網制御装置。
【請求項５】
請求項１から請求項４のいずれかに記載の通信端末装置等の網制御装置であって、
上記調整手段による上記電流制御抵抗の選択接続設定状況を表示する手段を有することを特徴とする通信端末装置等の網制御装置。
【発明の詳細な説明】
【０００１】
【産業上の利用分野】
本発明は通信端末装置等の網制御装置に関し、特に、送信時に送出されるダイヤルパルス波形の歪（ダイヤルパルス送出後の電流過渡特性）を改善した通信端末装置等の網制御装置に関するものである。
【０００２】
【従来の技術】
従来の、一般的な網制御装置におけるダイヤルパルス波形は、図３に示す如き波形であったが、近年、世界各国でディジタル交換機の導入が進むにつれ、図３に示す波形中のａの部分が問題となってきている。
ダイヤルパルスは、ダイヤルパルス送出部で作成されるが、このダイヤルパルス送出部の動作を模式的に示すと、図２のようになる。図２中、Ｌ１，Ｌ２は回線、ＤＳＲは前述のダイヤルパルス送出時のトランスの誘導起電力を防止するためのダイヤルショートリレー（以下、「ＤＳリレー」という）を示しており、ＳＷはダイヤルパルス作成用のスイッチである。
このような構成を有するダイヤルパルス送出部の動作は、下記の通りである。通常はスイッチＳＷは開いている（図２（ａ）の状態）が、ダイヤルパルス送出時には、まず、スイッチＳＷを閉じ、ＤＳリレーを開く（図２（ｂ）の状態）。この状態が、図３のｂに相当する。次に、ＤＳリレーを閉じ（図２（ｃ）の状態）、スイッチＳＷを必要回数オンオフする（図２（ｄ）の状態）と、図３のｃに相当するパルスに続けて、図３のｄに相当するパルス（ダイヤルパルス）が発生する。
所定のパルス数が発生した後、スイッチＳＷを閉じ（図２（ｅ）の状態）、ＤＳリレーを開く（図２（ｆ）の状態）。このときの挙動が、図３のｅで示すポストパルスに続けて発生する図３ａの逆起電力である。
【０００３】
【発明が解決しようとする課題】
上記逆起電力（図３のａ）が発生すると、交換機によってはこれをＬｏｗの信号、すなわち、ブレーク時間と誤認識してしまう場合がある。このような状況が発生すると、正確なダイヤルパルス送出が不可能になってしまう。
なお、従来のダイヤルパルス送出部のスイッチＳＷやＤＳリレーとしては、フォトカプラが使用される。この一例を、図４に示す。そして、図７に示す如く、図３にも示したダイヤルパルスの波形（図３のｄ）は、上述のフォトカプラＰＣのＣＴＲ（電流伝達率）や制御電流値、すなわち、電流制御抵抗値  ＲＸにより変化する。ここで、図７（ａ）は上述の電流制御抵抗値  ＲＸが小さい場合、図７（ｂ）は電流制御抵抗値  ＲＸが大きい場合を示している。
【０００４】
図７（ａ）に示す状態では、電流制御抵抗値  ＲＸが小さいため、図３に示す波形中のａの部分、つまり、ＤＳリレーを開いたときのトランスの誘導起電力が大きくなって前述の如き問題を惹き起こし、また、これを防止するために、電流制御抵抗値  ＲＸを大きくすると、図７（ｂ）ｆに示す如く、ポストパルスの電流値が小さくなり、これに関する規格に適合しなくなるという問題を惹き起こすという問題があった。
本発明は上記事情に鑑みてなされたもので、その目的とするところは、従来の技術における上述の如き問題を解消し、ＤＳリレーを開いたときのトランスの誘導起電力が大きくなって正確なダイヤルパルス送出が不可能となるようなことがなく、また、ポストパルスの電流値を規格に適合させることが可能な通信端末装置等の網制御装置を提供することにある。
より具体的に言えば、本発明の目的とするところは、図３に示す波形中のａの部分をなくし、また、図７（ｂ）ｆに示すポストパルスの電流値の減少をもなくして、図１１に示す如き、正規のダイヤルパルス波形を有するダイヤルパルス送出が可能となるような、通信端末装置等の網制御装置を提供することにある。
【０００５】
【課題を解決するための手段】
本発明の上記目的は、極性反転等を検出するオフフック検出部と、ダイヤルパルスを送出したり直流ループを閉結するためのダイヤルパルス送出部と、回線との信号の送受信を電気的に絶縁して行う絶縁トランスと、ダイヤルパルス送出時の前記トランスの誘導起電力を防止するダイヤルショートリレーと、交換機からの呼出し信号を検出するための呼出し信号検出部と、外付け電話側と絶縁トランス側との切り換えを行う回線切り換えリレーを有する通信端末装置等の網制御装置において、前記ダイヤルパルスの波形を調整するための波形調整手段を設けたことを特徴とする通信端末装置等の網制御装置によって達成される。
【０００６】
【作用】
本発明に係る通信端末装置等の網制御装置においては、上述の如きダイヤルパルスの波形調整手段を設けたことにより、前述のダイヤルパルス波形の２種類の波形歪を、適用地域（国）の規格に適合させることが可能になる。
具体的には、ＤＳリレーを開いたときのトランスの誘導起電力が大きくなると正確なダイヤルパルス送出が不可能となるような適用地域（国）の場合には、前述の電流制御抵抗値  ＲＸを大きくし、また、逆に、ポストパルスの電流値を規格に適合させることが要求されるような適用地域（国）の場合には、前述の電流制御抵抗値  ＲＸを小さくするように、電流制御抵抗値  ＲＸを、予め設定してある複数種類の値のうちから選択するようにしたものである。
また、本発明に係る通信端末装置等の網制御装置においては、前述のダイヤルパルス送出部のスイッチＳＷやＤＳリレーに用いられるフォトカプラＰＣの特性バラツキを吸収することができるので、スイッチＳＷやＤＳリレーに用いられるフォトカプラＰＣの歩留りが大幅に向上するという副次的な効果も大きい。
【０００７】
【実施例】
以下、本発明の実施例を図面に基づいて詳細に説明する。
図１は、本発明の一実施例に係る通信端末装置のブロック構成図である。図において、記号１は電話回線、２は外付け電話、３は極性反転等を検出するオフフック検出部、４はダイヤルパルスを送出したり、直流ループを閉結するためのＤＰ（ダイヤルパルス）送出部、５は直流的に絶縁した状態で回線との送受信を行うための絶縁トランス、６はダイヤルパルス送出時に、絶縁トランス５による誘導起電力を防止するためのＤＳ（ダイヤルショート）リレー、７はＤＰ送出部４，ＤＳリレー６等を駆動するためのドライバ、８は交換機からの呼出し信号を検出するための呼出し信号検出部、９は電話機２側と絶縁トランス５側とを切り換えるためのＯＨリレー、また、１０は本実施例に係る通信端末装置の特徴であるダイヤルパルス波形調整部であり、これらにより、網制御装置（破線で囲んだ部分）が構成されている。
【０００８】
また、１１以降は本実施例に係る通信端末装置の主システム側としてのファクシミリ装置の構成要素を示しており、１１は所定の操作を行ったり、ＬＣＤ等による表示を行うための操作表示部、１２は本通信端末装置全体の制御を行うＣＰＵ、１３はＣＰＵ１２のワークエリアをなすＲＡＭ、１４はＣＰＵ１２の動作の基になるプログラム等を格納しているＲＯＭ、１５は上述の網制御装置の制御や種々の通信制御を行う通信制御部、１６は所定の符号化方式に従って画情報の符号化・符号化された画情報の復号化を行う符号化復号化部、１７は送信信号の変調・受信信号の復調を行うモデム、１８は画情報を読み取るためのスキャナ、１９はＣＰＵ１２とスキャナ１８とのインタフェース回路、２０は受信情報の印刷出力を行うプロッタ、２１はＣＰＵ１２とプロッタ２０とのインタフェース回路を示している。
【０００９】
本実施例に係る通信端末装置においては、その網制御装置内のダイヤルパルス波形調整部１０を、前述の電流制御抵抗値  ＲＸとして二つの抵抗値Ｒ１，Ｒ２の二つの抵抗のうちのいずれかを選択可能に構成したものである。
図５は、上述の二つの抵抗値Ｒ１，Ｒ２のいずれかを選択可能とする具体的構成例を示すものであり、ここでは、図５中の抵抗値Ｒ１，Ｒ２の二つの抵抗のうちのいずれかを、ハードジャンパ（図６参照）をソケット２２ａ，２２ｂのいずれかにセットすることにより選択するようにしている。
本実施例によれば、前述の電流制御抵抗値  ＲＸとして二つの抵抗値Ｒ１，Ｒ２の二つの抵抗のうちのいずれかを選択可能に構成したことにより、適用地域（国）の諸規格に適合可能なように、簡単に電流制御抵抗値を設定できるようになり、前述のダイヤルパルス波形の２種類の波形歪を、適用地域（国）の規格に適合させることが可能になるという効果が得られる。
【００１０】
また、図８は本実施例に係るダイヤルパルス波形調整部１０の、他の例を示すブロック構成図である。図８において、２３はシステム側からの電流制御抵抗選択信号により、電流制御抵抗として、上述の抵抗値Ｒ１，Ｒ２の二つの抵抗のうちのいずれかを選択するマルチプレクサを示しており、図５に示した構成例と同様の効果を得られるものである。
本実施例によっても、前述の実施例に示した装置と同様の効果を得ることが可能になる。
図９は、本発明のうち、請求項４に示した発明に係るフローチャートであり、ここでは、フランスのカントリーコードを指定することにより、他のパラメータと同様に、ダイヤルパルス波形調整部１０も、フランスのダイヤルパルス波形規格を満足するような電流制御抵抗を選択するように設定される。
【００１１】
すなわち、カントリーコード設定モードに入って（ステップ３１）、例えば、フランスのカントリーコードを、操作表示部１１から所定の操作により設定することで（ステップ３２）、ダイヤルパルス波形調整部１０も自動的に、その国の規格を満足する電流制御抵抗を選択するように設定される（ステップ３３，３４）。
本実施例によれば、前述の各実施例に示した装置と同様の効果を得ることが可能となる他に、設定動作がより簡単になるという効果も得られる。
また、図１０は、本発明のうち、請求項３に示した発明に係るフローチャートであり、ここでは、ダイヤルパルス波形調整部１０の調整機能のオン／オフを、システム側のソフトで設定するように構成したものである。そして、その設定状況を、システムの操作表示部１１の可視表示手段（例えば、ＬＥＤやＬＣＤ）に表示することができるようにしている。
【００１２】
すなわち、ダイヤルパルス波形調整部１０の調整機能をオンさせる場合には、システムは、ステップ４４のダイヤルパルス波形調整部１０の電流制御抵抗選択モードに入り、電流制御抵抗として、前述の抵抗値Ｒ１，Ｒ２の二つの抵抗のうちのいずれかを選択するかを示す信号を出力する。これに基づいて、網制御装置は電流制御抵抗を、指示された方に設定する（ステップ４５〜４７）。
次に、システム側は、設定の結果を、操作表示部１１のＬＣＤ等の可視表示手段に表示する（ステップ４３）。
なお、ステップ４１の判断において、ダイヤルパルス波形調整部１０の調整機能をオンさせない場合には、ステップ４２に進んで、現在のカントリーコードで設定されるパラメータの内容そのままに固定する。
【００１３】
本実施例によれば、前述の各実施例に示した装置と同様の効果を得ることが可能となる他に、ダイヤルパルス波形調整部１０の調整機能の設定状況が、把握し易くなるという実際的効果が得られる。
なお、上記各実施例は本発明の一例を示したものであり、本発明はこれに限定されるべきものではないことは言うまでもないことである。
例えば、ダイヤルパルス波形調整部１０の電流制御抵抗選択は、実施例に示した二つの抵抗値Ｒ１，Ｒ２を有する抵抗のうちのいずれかを選択することに限られるものではなく、三つ以上の選択肢を有する如く構成してもよい。
また、選択の方法も、実施例に示したもの以外の各種の方法を利用可能であることも言うまでもないことである。
【００１４】
【発明の効果】
以上、詳細に説明した如く、本発明によれば、ＤＳリレーを開いたときのトランスの誘導起電力が大きくなって正確なダイヤルパルス送出が不可能となるようなことがなく、また、ポストパルスの電流値を規格に適合させることが可能な通信端末装置等の網制御装置を実現できるという顕著な効果を奏するものである。また、本発明に係る通信端末装置等の網制御装置においては、前述のダイヤルパルス送出部のスイッチＳＷやＤＳリレーに用いられるフォトカプラＰＣの特性バラツキを吸収することができるので、スイッチＳＷやＤＳリレーに用いられるフォトカプラＰＣの歩留りが大幅に向上するという副次的な効果も大きい。
【図面の簡単な説明】
【図１】本発明の一実施例に係る通信端末装置のブロック構成図である。
【図２】ダイヤルパルス送出部の動作を模式的に示す図である。
【図３】一般的な網制御装置におけるダイヤルパルス波形を示す図である。
【図４】従来のダイヤルパルス送出部のスイッチＳＷやＤＳリレーの構成例を示す図である。
【図５】実施例で用いた二つの抵抗値Ｒ１，Ｒ２のいずれかを選択可能とする具体的構成例を示す図である。
【図６】図５に示した具体的構成に用いるハードジャンパを示す図である。
【図７】従来技術における電流制御抵抗値  ＲＸの値とダイヤルパルスの波形との関連を示す図である。
【図８】図１に示した実施例に係るダイヤルパルス波形調整部１０の、他の例を示すブロック構成図である。
【図９】本発明のうち、請求項４に示した発明に係るフローチャートである。
【図１０】本発明のうち、請求項３に示した発明に係るフローチャートである。
【図１１】正規のダイヤルパルス波形を有するダイヤルパルスを示す図である。
【符号の説明】
１  電話回線
２  外付け電話
３  オフフック検出部
４  ダイヤルパルス送出部
５  絶縁トランス
６  ＤＳリレー
８  呼出し信号検出部
９  ＯＨリレー
１０  ダイヤルパルス波形調整部
１１  操作表示部
１２  ＣＰＵ
１３  ＲＡＭ
１４  ＲＯＭ
１５  通信制御部
１６  符号化復号化部
１７  モデム
１８  スキャナ
１９  ＣＰＵ１２とスキャナ１８とのインタフェース回路
２０  プロッタ
２１  ＣＰＵ１２とプロッタ２０とのインタフェース回路
【図１】
0003561935.tif 000002
【図２】
0003561935.tif 000003
【図３】
0003561935.tif 000004
【図４】
0003561935.tif 000005
【図５】
0003561935.tif 000006
【図６】
0003561935.tif 000007
【図７】
0003561935.tif 000008
【図８】
0003561935.tif 000009
【図９】
0003561935.tif 000010
【図１０】
0003561935.tif 000011
【図１１】
0003561935.tif 000012